(57)【要約】【課題】使用態様に適した状態を取り得る医療用チューブ組立体を提供すること。【解決手段】カテーテル１０のカテーテル本体２０として用いられている医療用チューブ組立体は、第１のスリット１６を有する第１のチューブ１と、第２のスリット２６を有する第２のチューブ２とを備え、第１のチューブ１内に第２のチューブ２が挿入されて、第１のチューブ１が外側となり、第２のチューブ２が内側となる第１の状態と、第１の状態から、第１のチューブ１が第２のスリット２６を介して第２のチューブ２内に挿入とともに、第２のチューブ２が第１のスリット１６を介して第１のチューブ１から抜去されて、第１のチューブ１が内側となり、第２のチューブ２が外側となる第２の状態とを取り得る。【選択図】図４
2015150251.tif 000002
【特許請求の範囲】
【請求項１】
チューブ状をなし、その長手方向に沿って形成された第１のスリットを有する第１のチューブと、
チューブ状をなし、その長手方向に沿って形成された第２のスリットを有する第２のチューブとを備え、
前記第１のチューブ内に前記第２のチューブが挿入されて、前記第１のチューブが外側となり、前記第２のチューブが内側となる第１の状態と、
前記第１の状態から、前記第１のチューブが前記第２のスリットを介して前記第２のチューブ内に挿入されるとともに、前記第２のチューブが前記第１のスリットを介して前記第１のチューブから抜去されて、前記第１のチューブが内側となり、前記第２のチューブが外側となる第２の状態とを取り得ることを特徴とする医療用チューブ組立体。
【請求項２】
当該医療用チューブ組立体は、血管内に挿入して用いられるものであり、
前記血管内に挿入されるまでは、前記第１の状態とし、前記血管内に挿入された後は、前記第２の状態として用いられる請求項１に記載の医療用チューブ組立体。
【請求項３】
前記第１のチューブは、その外周部が親水性を有し、内周部が抗血栓性を有するものであり、
前記第２のチューブは、その外周部が抗血栓性を有するものである請求項１または２に記載の医療用チューブ組立体。
【請求項４】
前記第１のチューブは、前記第１の状態で前記第２のスリットに差し込まれる突片を有する請求項１ないし３のいずれか１項に記載の医療用チューブ組立体。
【請求項５】
前記突片は、前記第１のスリットの直近に形成され、該第１のスリットに沿った長尺状をなす請求項４に記載の医療用チューブ組立体。
【請求項６】
前記第１のスリットは、前記第１の状態で自己閉塞性を有し、前記第２のスリットは、前記第２の状態で自己閉塞性を有する請求項１ないし５のいずれか１項に記載の医療用チューブ組立体。
【請求項７】
前記第１の状態から前記第２の状態への操作は、前記第１のチューブと前記第２のチューブとを当該医療用チューブ組立体の中心軸回りに相対的に反対方向に回転することにより行なわれる請求項１ないし６のいずれか１項に記載の医療用チューブ組立体。
【請求項８】
前記第１のチューブは、前記第２のチューブよりも硬質のものである請求項１ないし７のいずれか１項に記載の医療用チューブ組立体。
【請求項９】
前記第１のチューブは、前記第２のチューブよりも短い請求項１ないし８のいずれか１項に記載の医療用チューブ組立体。
【請求項１０】
前記第２の状態の後に、前記第１のチューブを前記第２のチューブに対して引張ることにより、前記第１のチューブが第２のチューブから抜去される第３の状態を取り得る請求項１ないし９のいずれか１項に記載の医療用チューブ組立体。
【請求項１１】
カテーテルとして用いられる請求項１ないし１０のいずれか１項に記載の医療用チューブ組立体。
【発明の詳細な説明】
【技術分野】
【０００１】
本発明は、医療用チューブ組立体に関する。
【背景技術】
【０００２】
近年においては、救急治療における心肺蘇生や、循環補助、呼吸補助を行なうため、経皮的心肺補助法（Percutaneous cardiopulmonary support，  ＰＣＰＳ）による治療が行われている。この経皮的心肺補助法とは、経皮的心肺補助装置により、一時的に心肺機能の補助・代行を行なう方法である。
【０００３】
経皮的心肺補助装置は、遠心ポンプ、人工肺、脱血路および送血路等から構成される体外循環回路を備え、脱血した血液に対してガス交換を行い送血路へ送血するものである。
【０００４】
また、体外循環回路において、脱血路および送血路には、例えば特許文献１に記載されているようなカテーテルを用いることができる。カテーテルは、脱血路では、患者の大腿静脈に挿入され、送血路では、患者の大腿動脈に挿入されて用いられる。そして、このように用いられるカテーテルは、その外周部に抗血栓性を有するポリマーコート層が形成されている。しかしながら、このポリマーコート層が形成されたカテーテルを血管に挿入する際に、当該ポリマーコート層が潤滑性に乏しいため、挿入時の挿入抵抗が高くなり、挿入操作が行いづらくなるという問題があった。
【先行技術文献】
【特許文献】
【０００５】
【特許文献１】米国特許第６９３６０４１号明細書
【発明の概要】
【発明が解決しようとする課題】
【０００６】
本発明の目的は、使用態様に適した状態を取り得る医療用チューブ組立体を提供することにある。
【課題を解決するための手段】
【０００７】
このような目的は、下記（１）〜（１１）の本発明により達成される。
（１）  チューブ状をなし、その長手方向に沿って形成された第１のスリットを有する第１のチューブと、
チューブ状をなし、その長手方向に沿って形成された第２のスリットを有する第２のチューブとを備え、
前記第１のチューブ内に前記第２のチューブが挿入されて、前記第１のチューブが外側となり、前記第２のチューブが内側となる第１の状態と、
前記第１の状態から、前記第１のチューブが前記第２のスリットを介して前記第２のチューブ内に挿入されるとともに、前記第２のチューブが前記第１のスリットを介して前記第１のチューブから抜去されて、前記第１のチューブが内側となり、前記第２のチューブが外側となる第２の状態とを取り得ることを特徴とする医療用チューブ組立体。
【０００８】
（２）  当該医療用チューブ組立体は、血管内に挿入して用いられるものであり、
前記血管内に挿入されるまでは、前記第１の状態とし、前記血管内に挿入された後は、前記第２の状態として用いられる上記（１）に記載の医療用チューブ組立体。
【０００９】
（３）  前記第１のチューブは、その外周部が親水性を有し、内周部が抗血栓性を有するものであり、
前記第２のチューブは、その外周部が抗血栓性を有するものである上記（１）または（２）に記載の医療用チューブ組立体。
【００１０】
（４）  前記第１のチューブは、前記第１の状態で前記第２のスリットに差し込まれる突片を有する上記（１）ないし（３）のいずれかに記載の医療用チューブ組立体。
【００１１】
（５）  前記突片は、前記第１のスリットの直近に形成され、該第１のスリットに沿った長尺状をなす上記（４）に記載の医療用チューブ組立体。
【００１２】
（６）  前記第１のスリットは、前記第１の状態で自己閉塞性を有し、前記第２のスリットは、前記第２の状態で自己閉塞性を有する上記（１）ないし（５）のいずれかに記載の医療用チューブ組立体。
【００１３】
（７）  前記第１の状態から前記第２の状態への操作は、前記第１のチューブと前記第２のチューブとを当該医療用チューブ組立体の中心軸回りに相対的に反対方向に回転することにより行なわれる上記（１）ないし（６）のいずれかに記載の医療用チューブ組立体。
【００１４】
（８）  前記第１のチューブは、前記第２のチューブよりも硬質のものである上記（１）ないし（７）のいずれかに記載の医療用チューブ組立体。
【００１５】
（９）  前記第１のチューブは、前記第２のチューブよりも短い上記（１）ないし（８）のいずれかに記載の医療用チューブ組立体。
【００１６】
（１０）  前記第２の状態の後に、前記第１のチューブを前記第２のチューブに対して引張ることにより、前記第１のチューブが第２のチューブから抜去される第３の状態を取り得る上記（１）ないし（９）のいずれかに記載の医療用チューブ組立体。
【００１７】
（１１）  カテーテルとして用いられる上記（１）ないし（１０）のいずれかに記載の医療用チューブ組立体。
【発明の効果】
【００１８】
本発明によれば、例えば医療用チューブ組立体を血管に挿入して用いる場合、血管に挿入するまでは第１の状態とし、挿入後は第２の状態とすることができる。このように医療用チューブ組立体は、使用態様に適した状態を取り得、操作性に優れたものとなっている。
【図面の簡単な説明】
【００１９】
【図１】図１は、本発明の医療用チューブ組立体をカテーテルに適用した場合の実施形態（第１の状態）を示す側面図である。
【図２】図２は、本発明の医療用チューブ組立体をカテーテルに適用した場合の実施形態（第２の状態）を示す側面図である。
【図３】図３は、第１の状態から第２の状態に変化する過程を順に示す横断面斜視図（図１中のＡ−Ａ線断面図）である。
【図４】図４は、第１の状態から第２の状態に変化する過程を順に示す横断面斜視図である。
【図５】図５は、第１の状態から第２の状態に変化する過程を順に示す横断面斜視図（図２中のＢ−Ｂ線断面図）である。
【図６】図６は、第２の状態からさらに第３の状態に変化したときの横断面斜視図である。
【発明を実施するための形態】
【００２０】
以下、本発明の医療用チューブ組立体を添付図面に示す好適な実施形態に基づいて詳細に説明する。
図１は、本発明の医療用チューブ組立体をカテーテルに適用した場合の実施形態（第１の状態）を示す側面図である。図２は、本発明の医療用チューブ組立体をカテーテルに適用した場合の実施形態（第２の状態）を示す側面図である。図３〜図５は、それぞれ、第１の状態から第２の状態に変化する過程を順に示す横断面斜視図である。図６は、第２の状態からさらに第３の状態に変化したときの横断面斜視図である。なお、以下では、説明の都合上、図１および図２中の右側を「基端」、左側を「先端」と言う。また、各図では、カテーテルの径方向の大きさを誇張して図示している。このため、図示のカテーテルは、実際の寸法とは異なる。
【００２１】
図１、図２に示すように、カテーテル１０は、可撓性を有するカテーテル本体２０と、カテーテル本体２０の基端側に位置するハブ３０とを備えている。カテーテル１０の用途としては、特に限定されないが、例えば、本実施形態では、経皮的心肺補助法（Percutaneous cardiopulmonary support，  ＰＣＰＳ）で血管Ｂ内に挿入して用いられる脱血用または送血用カテーテルとして説明する。
【００２２】
図３〜図５に示すように、カテーテル本体２０は、第１のチューブ１と、第２のチューブ２とを備える医療用チューブ組立体で構成され、３つの状態（組立状態）を取り得る。１つ目の状態は、第１のチューブ１内に第２のチューブ２が挿入されて、第１のチューブ１が外側となり、第２のチューブ２が内側となる第１の状態である（図１、図３参照）。２つ目の状態は、第２のチューブ２内に第１のチューブ１が挿入されて、第１のチューブが内側となり、第２のチューブが外側となる第２の状態である（図２、図５参照）。３つ目の状態は、第２のチューブ２内から第１のチューブ１が抜去された第３の状態である（図６参照）。
【００２３】
第１のチューブ１は、その両端が開口したチューブ状をなし、中空部であるルーメン１４を有する。この第１のチューブ１は、コア層１１と、コア層１１の外側に形成された親水性層１２と、コア層１１の内側に形成された抗血栓性層１３とを有する積層体で構成されている。
【００２４】
第２のチューブ２も、その両端が開口したチューブ状をなし、中空部であるルーメン２４を有する。この第２のチューブ２は、コア層２１と、コア層２１の外側に形成された抗血栓性層２３とを有する積層体で構成されている。
【００２５】
コア層１１、２１の構成材料としては、特に限定されず、例えば、ポリエステル、ポリ塩化ビニル、フッ素系樹脂、ポリアミド系樹脂、ウレタン系樹脂等の樹脂材料を用いることができる。この場合、コア層１１の構成材料とコア層２１の構成材料とに同じ樹脂材料を用いてもよいし、異なる樹脂材料を用いてもよい。
【００２６】
また、コア層１１の構成材料となる第１の樹脂材料と、コア層２１の構成材料となる第２の樹脂材料との平均分子量（重合度）を変えること、可塑剤の添加量（含有量）を変えること等により、両者の可撓性または剛性に差異を持たせることもできる。
【００２７】
可塑剤を添加することで、コア層１１とコア層２１との剛性に差異を持たせる場合、第１の樹脂材料は、第２の樹脂材料よりも少ない量で可塑剤を含有するか、あるいは、実質的に可塑剤を含有しないことにより、第２の樹脂材料よりも硬質とすることができる。その結果、第１のチューブ１は、第２のチューブ２よりも硬質のものとなる。このような硬質の大小関係は、カテーテル１０では、好ましい。
【００２８】
なお、第１の樹脂材料中の可塑剤の含有量は、０〜２０ｗｔ％程度が好ましく、１０〜１５ｗｔ％程度がより好ましい。また、第２の樹脂材料中の可塑剤の含有量は、１０〜４０ｗｔ％程度が好ましく、２０〜３０ｗｔ％程度がより好ましい。
【００２９】
このような可塑剤としては、例えば、フタル酸ジ−２−エチルヘキシル（ＤＥＨＰ）、フタル酸ジノルマルデシル（ＤｎＤＰ）等のフタル酸ジエステルや、その他、アジピン酸ジ−２−エチルヘキシル（ＤＥＨＡ）のようなアジピン酸ジエステル、トリメリット酸トリエステル等を用いることができるが、これらのうち、フタル酸ジ−２−エチルヘキシル（ＤＥＨＰ）、フタル酸ジノルマルデシル（ＤｎＤＰ）等が好ましい。
【００３０】
また、第１の樹脂材料中の可塑剤と、第２の樹脂材料中の可塑剤とは、同一であっても異なっていてもよい。
【００３１】
親水性層１２は、親水性を有する親水性材料をコア層１１の外周面にコーティングすることにより形成されている。
【００３２】
親水性材料としては、例えば、セルロース系高分子物質、ポリエチレンオキサイド系高分子物質、無水マレイン酸系高分子物質（例えば、メチルビニルエーテル−無水マレイン酸共重合体のような無水マレイン酸共重合体）、アクリルアミド系高分子物質（例えば、ポリアクリルアミド、ポリグリシジルメタクリレート−ジメチルアクリルアミド（ＰＧＭＡ−ＤＭＡＡ）のブロック共重合体）、ポリビニルアルコール、ポリビニルピロリドン等が挙げられる。このような親水性材料は、多くの場合、湿潤（吸水）により潤滑性を発揮する。
【００３３】
なお、コア層１１の外周面には、多数の微小な凹凸が形成されているのが好ましい。この凹凸により、親水性層１２は、コア層１１との密着性が高まり、よって、当該コア層１１から剥離するのが防止される。
【００３４】
抗血栓性層１３は、抗血栓性を有する抗血栓性材料をコア層１１の内周面にコーティングすることにより形成されている。また、抗血栓性層２３は、抗血栓性を有する抗血栓性材料をコア層２１の外周面にコーティングすることにより形成されている。
【００３５】
抗血栓性材料としては、ヘパリン、ウロキナーゼ、ポリメトキシエチルアクリレート(ＰＭＥＡ)、ＨＥＭＡ−Ｓｔ−ＨＥＭＡコポリマー、ポリＨＥＭＡ等が挙げられる。このような抗血栓性材料は、カテーテル１０の使用中に当該カテーテル１０で血液が凝固してしまうのを防止することができる。
【００３６】
なお、コア層１１の内周面には、多数の微小な凹凸が形成されているのが好ましい。この凹凸により、抗血栓性層１３は、コア層１１との密着性が高まり、よって、当該コア層１１から剥離するのが防止される。同様に、コア層２１の外周面には、多数の微小な凹凸が形成されているのが好ましい。この凹凸により、抗血栓性層２３は、コア層２１との密着性が高まり、よって、当該コア層２１から剥離するのが防止される。
【００３７】
また、第１のチューブ１、第２のチューブ２のいずれもＸ線透視下で確認できるようにするために、各チューブにＸ線造影性を付与しておくのが好ましい。このＸ線造影性を付与する方法としては、例えば、構成材料中に例えば硫酸バリウム、酸化ビスマス、タングステン等のＸ線不透過物質を配合する方法、このようなＸ線不透過物質によるマーカーを埋設または表面に付する方法等が挙げられる。
【００３８】
第１のチューブ１でのＸ線造影性の程度と、第２のチューブ２でのＸ線造影性の程度と、同じであっても異なっていてもよい。同じである場合、Ｘ線不透過物質の配合量を各チューブで同じとすることができ、製造上好ましい。一方、異なる場合、Ｘ線透視下でカテーテル１０が第１の状態となっているのか、または、第２の状態となっているのかを容易に把握することができる。
【００３９】
図１に示すように、第１のチューブ１は、第２のチューブ２よりも短い。これにより、第１の状態で、第１のチューブ１の先端部１５に開口する先端開口部１５１から第２のチューブ２の先端部２５が突出する。前述したように、第１のチューブ１は、第２のチューブ２よりも硬質のものとなっている。これにより、前記突出した先端部２５は、第１のチューブ１よりも柔軟性に富み、よって、第１の状態での血管Ｂへの挿入時に血管壁を傷付けてしまうのを防止することができる。第２のチューブ２の先端部２５には、その外径が先端方向に向かって漸減するテーパ部２５２が形成されているのが好ましい。
【００４０】
なお、第１のチューブ１の全長Ｌ１は、４５〜６９５ｍｍであるのが好ましく、１４５〜４９５ｍｍであるのがより好ましい。また、第２のチューブ２の全長Ｌ２は、５０〜７００ｍｍであるのが好ましく、１５０〜５００ｍｍであるのがより好ましい。
【００４１】
また、図１に示す第１の状態で第１のチューブ１の外径φｄ１は、２〜１０ｍｍとなるように設定されるのが好ましく、４．５〜７．０ｍｍとなるように設定されるのがより好ましい。また、図２に示す第２の状態で、第２のチューブ２の外径φｄ２は、２〜１０ｍｍとなるように設定されるのが好ましく、４．５〜７．０ｍｍとなるように設定されるのがより好ましい。
【００４２】
さらに、外径φｄ１と外径φｄ２とは、同じであっても異なっていてもよいが、同じとなるのが好ましい。
【００４３】
図１、図２に示すように、第１のチューブ１の基端部には、連結部４０を介してハブ３０が連結されている。
【００４４】
ハブ３０は、筒状をなし、例えば、人工肺、遠心ポンプ等、他の医療用具との接続部として機能する。また、ハブ３０は、カテーテル本体２０内へのガイドワイヤの挿入口、カテーテル本体２０内への血液、造影剤、薬液、洗浄等の注入口等としても機能する。また、カテーテル１０を操作する際の把持部としても機能する。
【００４５】
また、連結部４０は、本実施形態では、コア層１１の一部が基端方向に向かって突出した小片で構成されている。
【００４６】
さて、図１（図２〜図５についても同様）に示すように、第１のチューブ１は、第１のスリット１６を有している。第１のスリット１６は、第１のチューブ１の先端から基端にかけて、すなわち、全長にわたって当該第１のチューブ１の長手方向に沿って形成されている。図３〜図５に示すように、第１の状態から第２の状態となる際に、この第１のスリット１６を介して、第２のチューブ２は、第１のチューブ１から抜去されることとなる。
【００４７】
また、図３に示すように、第１のスリット１６が形成されている部分では、第１のチューブ１自体（特にコア層１１）の弾性により、第１のチューブ１の壁部（管壁）同士がその厚さ方向に重なり合っている。これにより、第１のスリット１６は、第１の状態での自己閉塞性が発揮され、よって、液密的または気密的に封止される。この封止により、第１のスリット１６を介した例えば血液等の液体の行き来を確実に防止することができる。
【００４８】
図１（図２〜図６についても同様）に示すように、第２のチューブ２は、第２のスリット２６を有している。第２のスリット２６は、第２のチューブ２の長手方向の途中から基端にかけて当該第２のチューブ２の長手方向に沿って形成されており、第１のスリット１６よりも長い。図３〜図５に示すように、第１の状態から第２の状態となる際に、この第２のスリット２６を介して、第１のチューブ１は、第２のチューブ２内に挿入されることとなる。
【００４９】
また、図５に示すように、第２のスリット２６が形成されている部分では、第２のチューブ２自体（特にコア層２１）の弾性により、第２のチューブ２の壁部（管壁）同士がその厚さ方向に重なり合っている。これにより、第２のスリット２６は、第２の状態での自己閉塞性が発揮され、よって、液密的または気密的に封止される。この封止により、第２のスリット２６を介した例えば血液等の液体の行き来を確実に防止することができる。
【００５０】
図３に示すように、第１のチューブ１は、第１の状態で第２のスリット２６にその外側から差し込まれる突片１７を有している。突片１７は、第１のスリット１６の直近、すなわち、第１のスリット１６が形成されている部分で前記重なり合っている壁部同士のうちの内側に位置する方の壁部に形成されている。
【００５１】
また、突片１７は、コア層１１の一部が第１のチューブ１の内側に向かって突出した部分であり、第１のスリット１６に沿って延在した長尺状をなす。
【００５２】
図３〜図５に示すように、以上のような構成の突片１７が第１の状態で第２のスリット２６に予め差し込まれており、そのまま差し込み方向にさらに差し込まれていくと、第１のチューブ１と第２のチューブ２との位置関係（内外の位置関係）を容易に反転することができる、すなわち、第２の状態となる。
【００５３】
次に、カテーテル１０の操作方法（使用方法）について説明する。
［１］  まず、図１、図３に示すように、第１の状態（初期状態）のカテーテル１０を用意する。そして、この第１の状態のまま、カテーテル本体２０を血管Ｂ内に挿入していく。
【００５４】
前述したように、第１の状態では、第１のチューブ１が外側に位置している。これにより、カテーテル本体２０において、第１のチューブ１の親水性層１２が最も外側に配置された状態となっている。そして、血管Ｂへの挿入時には、親水性層１２が血液によって湿潤して潤滑性を生じ、カテーテル本体２０と血管Ｂとの摩擦（摺動抵抗）が低減する。これにより、カテーテル本体２０の摺動性が向上し、よって、カテーテル本体２０の挿入時の操作性が良好なものとなる。
【００５５】
［２］  次に、血管Ｂ内へのカテーテル本体２０の挿入が完了した後に、ハブ３０を把持して、図４に示すように、当該ハブ３０に連結されている第１のチューブ１を第２のチューブ２に対してカテーテル本体２０の中心軸Ｏ回りに回転させる。この回転操作により、第１のチューブ１は、回転方向最前方に位置する突片１７を先頭に、第２のチューブ２の第２のスリット２６からルーメン２４に徐々に入り込んでいく。
【００５６】
一方、第１の状態でロール状に巻回されている第２のチューブ２は、外側の端部２７を先頭に、第１のチューブ１の第１のスリット１６から外方に向かって徐々に出ていく、すなわち、露出していく。
【００５７】
そして、この回転操作は、第１のチューブ１と第２のチューブ２との位置関係が反転する、すなわち、逆転するまで行なわれる。
【００５８】
また、前述したように、第１のチューブ１は、第２のチューブ２よりも硬質のものとなっている。これにより、ハブ３０を操作することによるトルクが第１のチューブ１の先端まで確実に伝達され、よって、回転操作が完了するまで第１のチューブ１が第２のチューブ２に確実に入り込んでいく。このようにカテーテル１０は、内外反転する際の回転操作時の操作性に優れている。
【００５９】
また、突片１７は、硬質であることにより、第１の状態で第１のチューブ１が不本意に回転するのを防止する機能も有している。これにより、回転操作を行なうまで第１の状態が確実に維持される。
【００６０】
［３］  回転操作が完了すると、図２、図５に示すように、カテーテル１０は、第２の状態（留置可能状態）となる。このようにカテーテル１０は、カテーテル本体２０が血管Ｂ内に挿入された後は、第２の状態として用いられ、当該第２の状態では、第２のチューブ２が外側に位置し、第１のチューブ１が内側に位置している。これにより、カテーテル本体２０において、第２のチューブ２の抗血栓性層２３が最も外側に配置された状態となり、第１のチューブ１の抗血栓性層１３が最も内側に配置された状態となる。そして、この状態で脱血または送血を行なうことができる。その際、抗血栓性層１３、２３により、カテーテル本体２０で血液が凝固してしまうのを確実に防止することができる。
【００６１】
また、第１の状態から第２の状態への切り替え操作は、第１のチューブ１と第２のチューブ２とを中心軸Ｏ回りに相対的に反対方向に回転するという簡単な操作で行なうことができる。これにより、切り替え時の操作が容易になるとともに、その切り換えも迅速に行なうことができる。
【００６２】
［４］  第２の状態とした後に、図６に示すように、第１のチューブ１を第２のチューブ２に対して基端方向に引張ることにより、第１のチューブ１が第２のチューブ２から抜去されて、カテーテル１０が第３の状態となる。この第３の状態では、第１のチューブ１が抜去された分、カテーテル本体２０の可撓性が高まる。カテーテル１０では、血管Ｂに留置された状態でカテーテル本体２０の可撓性を高めたい場合に、第３の状態とすることができる。また、第３の状態では、第１のチューブ１が抜去された分、カテーテル本体２０の内径を大きくできる。カテーテル１０では、血管Ｂに留置された状態でカテーテル本体２０の内径を大きくしたい場合に、第３の状態とすることができる。
【００６３】
なお、カテーテル１０は、第３の状態とせずに、第２の状態のまま使用し続けてもよい。
【００６４】
このように、カテーテル１０では、血管Ｂに挿入するまでは第１の状態とし、挿入後は第２の状態とし、さらに第３の状態とすることもできる。従って、カテーテル１０は、使用態様に適した状態に切り換えることができ、よって、使用時の操作性に優れたものとなっている。
【００６５】
以上、本発明の医療用チューブ組立体を図示の実施形態について説明したが、本発明は、これに限定されるものではなく、医療用チューブ組立体を構成する各部は、同様の機能を発揮し得る任意の構成のものと置換することができる。また、任意の構成物が付加されていてもよい。
【００６６】
また、医療用チューブ組立体は、第１のチューブと第２のチューブとの内外反転時の回転操作を補助する補助部材を別途備えていてもよい。
【符号の説明】
【００６７】
１            第１のチューブ
１１          コア層
１２          親水性層
１３          抗血栓性層
１４          ルーメン
１５          先端部
１５１        先端開口部
１６          第１のスリット
１７          突片
２            第２のチューブ
２１          コア層
２３          抗血栓性層
２４          ルーメン
２５          先端部
２５２        テーパ部
２６          第２のスリット
２７          端部
１０          カテーテル
２０          カテーテル本体
３０          ハブ
４０          連結部
Ｂ            血管
φｄ１、φｄ２  外径
Ｌ１、Ｌ２    全長
Ｏ            中心軸
【図１】
2015150251.tif 000003
【図２】
2015150251.tif 000004
【図３】
2015150251.tif 000005
【図４】
2015150251.tif 000006
【図５】
2015150251.tif 000007
【図６】
2015150251.tif 000008